(57)【要約】      （修正有）【課題】省スペース化を図れるとともに少量の培養液でも良好に植物を栽培でき、水管理に優れ、室内室外を問わず簡単に設置できる装飾緑化装置を提供する。【解決手段】非透水性で弾性素材製の板材からなり板面を縦に立てながら互いに面合せ状に近接して配置される２枚のパネル体１２ａと、少なくとも一方のパネル体に横に穿孔され植物の根を挿入させる複数の挿入孔１４と、２枚のパネル体１２ａの間の略全面に挟み込まれて配置された保水材１６と、保水材１６に培養液Ｌを上方から供給する培養液供給手段１８と、２枚のパネル体の組み付け構造であって、横断面で面合わせ部分の両端部を水密に接続する接続部２４と、その中間部分を広げて挿入された保水材を弾性的に挟持して保持する弾性挟持部２６と、で２枚のパネル体を組み付ける組み付け構造２０と、を備える。【選択図】図１
0003161178.tif 000002
【実用新案登録請求の範囲】
【請求項１】
非透水性で弾性素材製の板材からなり板面を縦に立てながら互いに面合せ状に近接して配置される２枚のパネル体と、
少なくとも一方のパネル体に横に穿孔され植物の根を挿入させる複数の挿入孔と、
２枚のパネル体の間の略全面に挟み込まれて配置された保水材と、
保水材に培養液を上方から供給する培養液供給手段と、
２枚のパネル体の組み付け構造であって、横断面で面合わせ部分の両端部を水密に接続する接続部と、その中間部分を広げて挿入された保水材を弾性的に挟持して保持する弾性挟持部と、で２枚のパネル体を組み付ける組み付け構造と、を備えたことを特徴とする装飾緑化装置。
【請求項２】
パネル体には、装飾緑化装置を設置する建物の壁面に固定させた係止部材に対して該パネル体を吊支させるための受部が設けられた請求項１記載の装飾緑化装置。
【請求項３】
２枚のパネル体のそれぞれに複数の挿入孔が穿孔された請求項１記載の装飾緑化装置。
【請求項４】
パネル体には、上方から流下する培養液が挿入孔からパネル体外側へ漏れるのを防止する水漏れ防止構造が設けられた請求項１ないし３のいずれかに記載の装飾緑化装置。
【請求項５】
水漏れ防止構造は、挿入孔の全縁に沿って取り付けられるクッション性素材のリング状部材からなる請求項４記載の装飾緑化装置。
【請求項６】
パネル体は、プラスチックダンボールからなる請求項１ないし５のいずれかに記載の装飾緑化装置。
【考案の詳細な説明】
【技術分野】
【０００１】
本考案は、室内または室外などに場所を取らずに設置し、草花や野菜、ハーブ等の植物を利用して装飾できる装飾緑化装置に関する。
【背景技術】
【０００２】
従来から、植物の栽培方法として培養液を用いて成育に必要な床土などを必要とせずに栽培を比較的容易に行なえる水耕栽培が実施されている。例えば、連通した管状の通水路内に培養液を通流させながら苗の根部が培養液に浸る様な状態として栽培する方法や、培養液を貯留した複数の平箱状の水槽を積層状に配置し培養液を循環用ポンプ等で一番高い水槽に圧送しながら水耕栽培を行なう方法が知られていた（例えば、特許文献１の明細書「０００２」参照）。しかしこのような従来の水耕栽培では、装置の占有面積が大きくなるとともに、装置コストも高価であるうえ、酸素不足になりやすく植物の生育が悪い等の問題があった。よって、従来の水耕栽培は室内に設置して観賞用またはインテリアとして利用するのには実用性が低かった。そこで本出願人は、実用新案登録第３０５８２５２号（以下、特許文献１）において、場所を取らず室内に容易に設置して装飾できる水耕栽培装置を提案した。特許文献１の水耕栽培装置は、複数の孔１２が周面に穿孔され上面が覆蓋された縦長の密閉中空筒１４と、該中空筒１４内に設けられ保水性を有するとともに植物の成長に伴いその根部を受入れ保持し得る保持穴１６を備えた培養部１８と、該培養部１８に培養液を供給する培養液供給手段２０と、を備えている。そして、中空筒の周面全体に植物を簡易に植付けて栽培することが可能で、場所を取らず室内に容易に設置できて観賞用としても美観的に優れるとともに装置の製造コストを低廉にし得るものであった。なお、符号は特許文献１記載のものである。
【先行技術文献】
【特許文献】
【０００３】
【特許文献１】実用新案登録第３０５８２５２号公報
【考案の概要】
【考案が解決しようとする課題】
【０００４】
特許文献１の水耕栽培装置では、培養部１８は、中空筒１４内に設けた通液用チューブ２２と、その周囲に配設される前記保持穴１６を有する培養体２４と、からなる。培養体２４は、粗目状に編みこまれた網体２６を中空筒１４内面に接触する様に内部一杯に充填収容して構成されていた。したがって、培養液供給手段２０により中空筒内の網体２６に供給される培養液は、上面中央部から放射状に広がる様に中空筒内空間の略全体に広がって下方に流れることとなる。その結果、中空筒内空間全体を満たすように大量の培養液が使用されるので、植物の栽培に必要十分な量よりも多くの培養液を無駄に流してしまっていた。よって、水道代や電気代がかかるとともに、水を受ける受槽やポンプ等の各構成部材が大型化、重量化、高コスト化するうえ、室内に置く場合には特に水漏れに注意する必要があって水の管理が煩雑となる問題があった。また、中空筒を用いるので配置スペースがある程度必要となるから、屋内の狭いスペースでは設置場所が限定されてしまう問題もあった。
【０００５】
本考案は上記従来の課題に鑑みてなされたものであり、その一つの目的は、より省スペース化を図れるとともに少量の培養液でも良好に植物を栽培でき、水管理に優れ、室内室外を問わず簡単に設置できる装飾緑化装置を提供することにある。
【課題を解決するための手段】
【０００６】
上記課題を解決するために本考案は、非透水性で弾性素材製の板材からなり板面を縦に立てながら互いに面合せ状に近接して配置される２枚のパネル体１２（１２ａ、１２ｂ）と、少なくとも一方のパネル体に横に穿孔され植物の根Ｒを挿入させる複数の挿入孔１４と、２枚のパネル体１２（１２ａ、１２ｂ）の間の略全面に挟み込まれて配置された保水材１６と、保水材１６に培養液Ｌを上方から供給する培養液供給手段１８と、２枚のパネル体の組み付け構造であって、横断面で面合わせ部分の両端部を水密に接続する接続部２４と、その中間部分を広げて挿入された保水材１６を弾性的に挟持して保持する弾性挟持部２６と、で２枚のパネル体１２を組み付ける組み付け構造２０と、を備えたことを特徴とする装飾緑化装置１０から構成される。装飾緑化装置１０は、屋内でも屋外でも任意の場所に設置して利用でき、省スペースで効率的に植物栽培を行いながら装飾を行える。パネル体１２の大きさ、形状や、挿入孔１４の数、大きさ、形状等は任意でよく、装飾に用いる植物の種類や装飾緑化装置１０の設置場所等に応じて適宜設定されると良い。２枚のパネル体１２は、２枚の板材を重ね合わせて構成してもよいし、１枚の板材を半分に折り曲げて構成してもよい。保水材１６は、例えば、保水性とともに通気性等を確保できる化学繊維や天然繊維等で形成してもよい。保水材１６を化学繊維で形成すると、腐食せず長期間変質しにくいので培養液の流下通水性及び通気性を良好に維持でき長期使用できる。植物は、全ての挿入孔１４で同じ種類としてもよいし、挿入孔１４ごとに種類を変えても良い。
【０００７】
また、パネル体１２（１２ａ、１２ｂ）には、装飾緑化装置を設置する建物の壁面Ｗに固定させた係止部材３４に対して該パネル体を吊支させるための受部（３６）が設けられたこととしてもよい。パネル体は、板材からなるので、簡単な構造の支持手段で支持できる。受部は、例えば、パネル体１２に貫通孔３６を設けたりするようにパネル体自体を加工して設けても良い。また、受部は、例えば、パネル体に紐やリング等を取り付けたりするなど他の部材を取り付けて設けても良い。
【０００８】
また、２枚のパネル体１２（１２ａ、１２ｂ）のそれぞれに複数の挿入孔１４が穿孔されたこととしてもよい。挿入孔１４は、２枚のパネル体１２（１２ａ、１２ｂ）においてそれぞれ同じ位置に設けても良いし、それぞれ異なる位置に設けても良い。また、挿入孔１４に挿入する植物も２枚のパネル体１２で同じ種類でもよいし、それぞれ異なる種類でもよい。
【０００９】
パネル体１２には、上方から流下する培養液が挿入孔１４からパネル体外側へ漏れるのを防止する水漏れ防止構造５２が設けられたこととしてもよい。
【００１０】
また、水漏れ防止構造５２は、挿入孔１４の全縁に沿って取り付けられるクッション性素材のリング状部材５４からなることとしてもよい。
【００１１】
また、パネル体１２（１２ａ、１２ｂ）は、プラスチックダンボールからなることとしてもよい。
【考案の効果】
【００１２】
本考案の装飾緑化装置によれば、非透水性で弾性素材製の板材からなり板面を縦に立てながら互いに面合せ状に近接して配置される２枚のパネル体と、少なくとも一方のパネル体に横に穿孔され植物の根を挿入させる複数の挿入孔と、２枚のパネル体の間の略全面に挟み込まれて配置された保水材と、保水材に培養液を上方から供給する培養液供給手段と、２枚のパネル体の組み付け構造であって、横断面で面合わせ部分の両端部を水密に接続する接続部と、その中間部分を広げて挿入された保水材を弾性的に挟持して保持する弾性挟持部と、で２枚のパネル体を組み付ける組み付け構造と、を備えたことから、複数の植物を同時に縦面に沿って設置して優れた意匠感の装飾を実現できると同時に、植物の配置効率が高い。特に、パネル体の組み付け構造により保水材を簡単な構成で確実に保持させつつ、該厚みの薄い保水材に培養液を供給する結果、パネル体内に少量の培養液を供給するだけで良く、培養液を有効に利用して良好に植物を栽培できる。よって、少量の培養液の使用で済むので、水道代、培養液供給手段の駆動用の電気代等を含む栽培管理に係る費用が従来に比べて安価にできる。さらに、水の管理がしやすく、室内室外問わず簡単に設置して利用することができ、実用性が高い。さらに、装置全体が、厚みが薄くかつ軽量に形成できるので、支持構造や培養液供給手段等に用いられるポンプや流下してくる培養液の回収構造等も小型化することもでき、装置全体をより軽量化、省スペース化することができる。また、装飾緑化装置を低コストで製造でき初期費用も安い。また、装置のメンテナンスも楽に行える。
【００１３】
また、パネル体には、装飾緑化装置を設置する建物の壁面に固定させた係止部材に対して該パネル体を吊支させるための受部が設けられ構成とすることにより、壁際等に簡単に設置して、邪魔になることなく、室内インテリアとして有効に利用できる。
【００１４】
また、２枚のパネル体のそれぞれに複数の挿入孔が穿孔された構成とすることにより、組み付けたパネル体の両面に多数の植物を保持させて、立体的な装飾緑化を図ることができ、意匠感が良い。
【００１５】
また、パネル体には、上方から流下する培養液が挿入孔からパネル体外側へ漏れるのを防止する水漏れ防止構造が設けられた構成とすることにより、挿入孔から外部に水が漏れて室内の床や壁を濡らすがことなく、室内にも手軽に設置して利用でき、実用性が高い。
【００１６】
また、水漏れ防止構造は、挿入孔の全縁に沿って取り付けられるクッション性素材のリング状部材からなる構成とすることにより、例えば、ゴムや比較的柔らかいプラスチック等でリング状部材を形成して水濡れ防止構造を簡単な構成で実現できる。また、挿入孔に挿入させた植物を傷めにくい。
【００１７】
また、パネル体は、プラスチックダンボールからなる構成とすることにより、パネル体を軽量化でき、耐水性、耐薬品性、耐久性に優れるとともに、確実な防水が可能であり培養液を外側へ水漏れさせることなく、屋内外問わず長期間使用できる。さらに、加工が容易であり所定の形状のパネル体を低コストで製造できる。
【図面の簡単な説明】
【００１８】
【図１】本考案の実施形態に係る装飾緑化装置の正面図である。
【図２】図１の装飾緑化装置のＡ−Ａ線断面図である。
【図３】図１の装飾緑化装置の上部側の縦断面の拡大図及び植物を保持した状態の作用図である。
【図４】パネル体の横断面の一部拡大図である。
【図５】パネル体の組み付け構造の説明図である。
【図６】図１の装飾緑化装置の側面図での作用説明図である。
【図７】図１の装飾緑化装置の他の実施形態の側面図である。
【図８】図７の装飾緑化装置のＢ−Ｂ線断面図である。
【図９】図１の装飾緑化装置の他の実施形態の正面図である。
【図１０】図１の装飾緑化装置の他の実施形態の正面図である。
【図１１】図１の装飾緑化装置の他の実施形態の正面図である。
【図１２】水漏れ防止構造の他の形態の説明図である。
【図１３】水漏れ防止構造の他の形態の説明図である。
【考案を実施するための形態】
【００１９】
以下、添付図面を参照しつつ本考案の装飾緑化装置の実施の形態について説明する。本考案の装飾緑化装置は、水に養分を溶かした培養液により花や観葉植物、野菜等の緑化植物を水耕栽培するものであり、縦面に複数の植物を同時に保持させ、省スペースで室内、屋外の様々な場所に簡易に設置して美観的に優れた装飾を行うことができる装置である。図１ないし図６は、本考案の装飾緑化装置の一実施形態を示している。図１、図２に示すように、本実施形態において、装飾緑化装置１０は、２枚のパネル体１２と、パネル体１２に設けられた挿入孔１４と、２枚のパネル体１２の間に挟みこまれた保水材１６と、培養液供給手段１８と、２枚のパネル体１２の組み付け構造２０と、を備えている。なお、本実施形態に係る装飾緑化装置１０で利用される緑化用の植物としては、例えば、花や観葉植物のように観賞用のものを主として利用できるが、例えば、野菜やハーブのように食べられる植物を利用することもできる。
【００２０】
図１、図２、図３に示すように、２枚のパネル体１２は、非透水性でかつ弾性素材で形成された板材からなり、板面を立てて配置されている。２枚のパネル体１２は、正面側（表面側）に配置したパネル体を１２ａ、背面側（裏面側）に配置したパネル体を１２ｂとして、互いに面合わせ状に近接して配置した状態で組み付け構造２０により組み付けられる。２枚のパネル体１２のうち一方の（正面側の）パネル体１２ａには、植物の根を挿入する挿入孔１４が複数個穿孔されている。２枚のパネル体１２ａ、１２ｂの間には、保水材１６を挟み込んで保持している。そして、これらのパネル１２ａ、１２ｂ、挿入孔１４、保水材１６は、多数の植物を立体的に保持する植物保持部２２を構成し、縦面を栽培面すなわち植物緑化による装飾面としている。
【００２１】
パネル体１２ａ、１２ｂは、例えば、非透水性でかつ弾性素材として薄肉厚のプラスチックダンボールからなる。図４の断面拡大図に示すように、プラスチックダンボールは、例えば、ポリプロピレン等の合成樹脂素材でダンボールのように断面が中空構造Ｓで形成されており、軽量で強度、耐水性及び耐薬品性、耐候性が高く、腐食、劣化しにくい。さらに、プラスチックダンボールは、ある程度弾性があり、強制的に力を加えると湾曲変形するとともに、力を解除すると素材自身の復元力により元の形状に戻るような付勢力が作用する。したがって、パネル体１２ａ、１２ｂの軽量化、高耐久性を実現できるとともに、後述のようにパネル体間に流下させる培養液を外側へ水漏れさせることなく確実な防水が可能であり、長期間の使用にも耐えうる。また、プラスチックダンボールは切断、接合などの加工も容易で、パネル体の製造コストを廉価にできると同時に、素材そのものを着色可能でありパネル体自体の外観も意匠感を良く形成できる。本実施形態では、２枚のパネル体１２ａ、１２ｂは、ともに略同一形状かつ略同一大きさとなっており、例えば、高さが１．８ｍ程度、板幅が２０ｃｍ程度の縦長矩形板材で設けられている。なお、パネル体１２ａ、１２ｂの高さは任意でよく、例えば数ｍ以上の高さや、数十ｃｍ程度の高さに設計してもよい。また、パネル体の板幅も任意に設定してもよく、例えば、１０ｃｍ〜数十ｃｍ程度の幅狭いタイプから、１ｍ以上に幅広く形成してもよい。図５（ａ）、（ｂ）に示すように、２枚のパネル体１２ａ、１２ｂは、例えば、高さが１．８ｍ、板幅が４０ｃｍ程度の１枚の大きな板部材を、板幅の中心位置で半分に折り曲げて重ねることにより２枚を互いに面合わせ状に対向させた状態で設けられ、組み付け構造２０を介して組み付けられている。
【００２２】
図１、図３に示すように、挿入孔１４は、正面側のパネル体１２（１２ａ）を横貫通状に穿孔して設けられており、植物の根Ｒを挿入可能となっている。本実施形態では、挿入孔１４は、例えば、円形状に形成され、複数の挿入孔１４どうしが互いに離隔して配設されて植物Ｐが成長しても互いに干渉しないようになっている。なお、図１上では、複数の挿入孔１４は、縦方向に１列並べた構成としたが、これに限らず、例えば、複数列設けたり、千鳥状に設けたり、その他規則的又は不規則に設定してもよい。挿入孔１４には、後述のようにゴムパッキンのようなリング状部材５４が取り付けられている。なお、本実施形態では、一方のパネル体１２ａのみに挿入孔を形成したが、図７に示すように、２枚のパネル体１２ａ、１２ｂの両方に複数の挿入孔１４を穿孔し、板状に薄い植物保持部２２の両面に植物を保持させて装飾するようにしてもよい。
【００２３】
組み付け構造２０は、２枚のパネル体１２ａ、１２ｂの組み付け手段であるとともに、保水材１６の保持構造、さらには挿入孔１４から挿入された植物の根Ｒの保持構造を実現する。図１、図２に示すように、組み付け構造２０は、２枚のパネル体１２ａ、１２ｂを接続する接続部２４と、２枚のパネル体１２ａ、１２ｂの間に挟み込まれる保水材１６を弾性状に挟持して保持する弾性挟持部２６と、を含む。接続部２４は、面合わせ状に配置される２枚のパネル体１２ａ、１２ｂにおいて横断面で面合わせ部分の両端部を水密に接続する。すなわち、接続部２４は、２枚のパネル体１２ａ、１２ｂの左右両辺側を当着状に近接させた状態で縦方向に連続的に水密に接続している。本実施形態では、一端側（図２上、右端側）の接続部２４ａは、例えば、図５にも示すように、材料としての一枚の板部材を２つに折り曲げた際の折り目２８で構成されている。なお、接続部２４ａの補強のために外側からある程度強度の高いビニルテープ等からなる補強テープ２９が貼り付けられている。他端側（図２上、左端側）の接続部２４ｂは、例えば、断面コ字状で縦長に設けられたプラスチック製のコ字枠状接続部材３０を介して、２枚のパネル体１２ａ、１２ｂの左辺部を外側から圧着状に挟み込んで水密に接続されている。なお、接続部２４は、例えば、接着剤による接着、パネル体どうしの溶着、その他任意の接続手段でもよい。接続部２４は、パネル体１２ａ、１２ｂの左右両側のみを水密接続しており、それらのパネル体１２の面合わせ状に対向する板面の両辺側を除いた大部分は接続されていない。このように接続部２４を介して左右両辺側を縦に連続的に接続された２枚のパネル体１２ａ、１２ｂの間には、図５（ｃ）に示すように、パネル体を湾曲させながらその中間部分を広げて保水材１６が挿入される。図５（ｄ）に示すように、上記のように弾性素材からなるパネル体１２ａ、１２ｂは、それらの間に挿入された保水材１６を外側から圧接するように弾性的に挟持して保持することとなり弾性挟持部２６を構成する。２枚のパネル体１２ａ、１２ｂの間の保水材１６が挟みこまれた狭い空間が培養液の流下空間Ｄとなる。さらに、図３に示すように、パネル体１２ａの挿入孔１４から植物の根Ｒを挿入させると、パネル体１２ａ、１２ｂの弾性力により、パネル体１２ａと保水材１６との間に植物の根Ｒを挟持して保持する。なお、対向された２枚のパネル体１２ａ、１２ｂの上端側は上端閉鎖部３２を介して閉鎖されているが（図３参照）、下端側は開放して内外連通しており培養液が下方に流下するようになっている。２枚のパネル体１２ａ、１２ｂの上端側は、例えば、閉鎖蓋等の別部材を取り付けたり、互いに圧着させながらビニルテープやコ字枠部材等により固定したりして閉鎖してもよい。
【００２４】
保水材１６は、培養液をある程度保水しながら流下させる機能を有し、挿入孔１４から挿入された植物の根Ｒに培養液を供給する保水手段である。図２、図３に示すように、保水材１６は、２枚の対向するパネル体１２ａ、１２ｂの間の略全面に亘って挟み込まれて配置され、上述のように弾性挟持部２６によって弾性的に挟持されることにより保持されている。本実施形態では、保水材１６は、例えば、培養液及び空気が通流可能な網目状の多数の空隙を有している。具体的には、保水材１６は、例えば、寒冷紗のように、化学繊維又は天然繊維を粗目で編み込んで形成させた、厚みが比較的薄くかつ柔軟性がある繊維布材等の網目状の可撓素材からなる。網目状の可撓素材は柔軟性があるので、植物の根Ｒを挿入する際に根を傷めることがないうえ、網目状の間隙により内部の表面積を拡大して培養液が間隙に浸透することで高い保水能力を有すると同時に、網目内の間隙を空気が自由に通流するので植物Ｐの栽培に適した環境を実現する。
【００２５】
本実施形態では、パネル体１２ａ、１２ｂは、例えば、図６に示すように、建物の壁Ｗに固定されたフックや釘等からなる係止部材３４を介して板面を鉛直状に立てながら吊支状に支持されている。この際、挿入孔１４が設けられたパネル体１２ａ側を室内側に向け、挿入孔１４が設けられていないパネル体１２ｂ側を建物の壁Ｗ面側に向けた状態で設置される。パネル体１２ａ、１２ｂの上端側には、係止部材３４を受けるように板面を貫通させた貫通孔３６からなる受部が形成されている。なお、パネル体１２ａ，１２ｂの下端側はフリーになっており、後述の貯液タンク３８内に突出して配置される。パネル体の支持構成は、壁に設けた係止部材３４で吊支状に支持する態様に限らず、例えば、パネル体の上端にフックや索条等を取り付けて他の構造物に係止させる構成や、パネル体の下端を支持させる構成、又はパネル体の左右両辺側を支持する構成等、その他任意の支持構成でもよい。
【００２６】
培養液供給手段１８は、例えば、水に養分を混ぜた培養液Ｌを上方側から保水材１６に供給する供給手段である。図１、図３、図６に示すように、培養液供給手段１８は、保水材１６が挟装されているパネル体１２ａ、１２ｂ間の狭い流下空間Ｄ内にのみ培養液Ｌを流下させる。本実施形態では、培養液供給手段１８は、供給用の培養液Ｌを貯留した貯液タンク３８と、内部に培養液を通流させて上昇させパネル体１２ａ、１２ｂの上端側から狭い流下空間Ｄ内に培養液を流下させる通液管４０と、培養液を通液管４０に供給する小型ポンプ４２と、を含む。
【００２７】
貯液タンク３８は、例えば、上面を開口し内部に培養液Ｌの貯留空間を形成した貯液槽である。貯液タンク３８は、例えば、パネル体１２ａ、１２ｂの真下位置に配置されている。貯液タンク３８の貯留空間とパネル体１２ａ、１２ｂ間の流下空間Ｄとは互いに連通しており、パネル体１２ａ、１２ｂ間の保水材１６を流下した培養液は内部の貯留空間に回収保持される。貯液タンク３８は、例えば、ポリ塩化ビニルやプラスチック等の耐水性を有した硬質な素材からなり、矩形箱状に形成されている。なお、貯液タンク３８は、矩形箱に限らず自立し得る安定性があれば多角形や円筒形など任意形状、大きさで形成してよい。
【００２８】
図１、図２、図３に示すように、通液管４０は、例えば、ビニルホース等の軟質の合成樹脂製チューブ材からなり、一端をポンプ４２の吐出部に接続されて縦に配設された縦チューブ４４と、縦チューブ４４の上端に接続された給水チューブ４６と、からなる。縦チューブ４４は、例えば、パネル体１２ａ、１２ｂの間に挟み込まれるように配置されている。よって、チューブを外部に配設させる構成に比べて意匠感を損なうようなこともなく、かつ省スペース化を実現している。給水チューブ４６は、２枚のパネル体１２ａ、１２ｂの上方であって、それらのパネル体の間の狭い流下空間Ｄに対応した位置に長手方向を横方向に向けて配置されている。給水チューブ４６の下面側には、長手方向に互いに離隔した位置に複数の給水孔４８が穿孔されている。培養液はポンプ４２により縦チューブ４４、給水チューブ４６の順に通流して、給水チューブ４６の複数の給水孔４８から狭い流下空間Ｄ内に均等に流下し保水材１６に供給される。そして、保水材１６に保水されつつ、次第に流下して下端から貯液タンク３８内に回収される。
【００２９】
ポンプ４２は、比較的小型に設けられた水中ポンプからなり、貯液タンク３８内の培養液中に配置されて図示しない電源から電気供給されて培養液を通液管４０に供給する。本実施形態では、ポンプ４２は、タイマー装置５０に電気的に接続されており該ポンプの駆動、停止が自動制御運転され、断続的に培養液を供給するようになっている。タイマー装置５０は、所定の時間を計時するタイマー制御手段であり、タイマーで計時しながら所定時間間隔で、例えば、１時間ごとに３分間だけポンプ４２を駆動させて培養液を保水材１６に供給するように制御する。例えば、保水材に常時培養液を供給すると、水、電気が無駄に消費されるとともに、植物の根が挿入孔１４から外側に発達してしまう問題が生じてしまう。また、植物の根が外に張出すと、パネル体内を流下してくる培養液が根を伝って外側に漏れてしまい、室内の床を濡らしてしまうおそれもある。よって、上述のようにタイマーにより培養液の供給タイミングを適度にコントロールすることにより、植物の根の生育を外側に出すことなく良好に栽培することができる。なお、タイマーは、機械的又は電気的なタイマーで実現してもよい。また、タイマーの時間設定は、装置の大きさや、植物の種類、栽培本数、生育状況等に応じて任意に設定してもよい。培養液供給手段１８は、２枚のパネル体１２ａ、１２ｂ間の狭い流下空間Ｄとその間に配置された保水材１６の保水性能とにより培養液を極めて少量ずつ供給すればよく、水管理を簡易にして、小型ポンプを使用できコンパクト化、コスト低廉化を実現できる。
【００３０】
図３に示すように、パネル体１２ａには、上方から流下する培養液Ｌが挿入孔１４から流下空間Ｄの外側へ漏れるのを防止する水漏れ防止構造５２が設けられている。挿入孔１４から植物Ｐの根Ｒが挿入されて、狭い流下空間Ｄ内で保持されると、保水材１６は根を受け入れた分だけ内側に湾曲変形して空隙部分が大きくなる。水漏れ防止構造５２は、例えば、挿入孔１４の一部に垂設する水切り壁のように構成されて、流下してくる培養液が挿入孔１４から外側へ漏れるのを防止する。本実施形態では、水漏れ防止構造５２は、例えば、比較的柔らかいゴムや合成樹脂等のクッション性素材からなり、挿入孔１４の全縁に沿って装着されるリング状部材５４からなる。なお、水漏れ防止構造５２は、リング状部材５４の構成に限らず、例えば、図１２に示すように挿入孔１４の上縁側だけに円弧状に取り付けたゴム等の素材で形成される円弧状部材５６を含む構成や、図１３に示すように挿入孔１４の上部側を閉鎖するように取り付けられるテープ状部材５８を含む構成等、その他任意の構成でもよい。
【００３１】
次に、本実施形態に係る装飾緑化装置１０の作用について説明する。例えば、室内（又は室外）において挿入孔１４が設けられた正面側のパネル体１２ａ側を室内側に向けた状態で装飾緑化装置１０を建物の壁Ｗに沿って設置しておき、挿入孔１４から花等の植物Ｐの苗を保持させて管理する。なお、栽培する植物Ｐとしては、例えば、ベゴニア、パンジー、ラン、シンビジウム等の観賞用の花類、又は花類に限らず、観葉植物、ねぎその他野菜やハーブ等の食用植物等でもよい。図３に示すように、植物の根Ｒを保持させる際には、挿入孔１４から植物の根Ｒを挿入して、パネル体１２ａ内面側と保水材１６との間に植物の根Ｒを挟装させて保持する。この際、パネル体１２ａ、１２ｂの弾性変形及び復元力を利用して植物の根Ｒを保持するので、植物の根の保持作業を簡単にスムーズに行えるとともに、確実に保持できるうえ、植物を傷めたり根の成長を妨げたりするようなこともない。また、保持された植物の根Ｒの周囲はある程度空隙が形成されるので通気性が確保されるので、酸素の吸収効率も良い。植物の根Ｒは保水材１６に当接しながらパネル体１２ａと保水材１６との間で発達していく。植物の苗を保持させたら、タイマー装置５０のタイマーをセットしておき、所定の時間が計時されるとポンプ４２が自動で駆動され、培養液Ｌが通液管４０に通流される。通液管４０内を通流した培養液は、図３に示すように、上方から保水材１６に供給されて流下し、該保水材１６に浸透しながら保水される。保水材１６は、厚みが薄く、かつパネル体１２ａ、１２ｂとの間に弾性的に挟持されているので、流下する培養液の量は極めて少量となるが、保水材１６の保水性能によりその培養液を植物の根に適度に供給できる。これにより、植物の栽培環境を好適に維持しながら、少量の培養液を有効に利用して節水しながら栽培することができ、水管理を簡単に行なうことができる。また、水の使用量を低減できることから、装置の軽量化、小型化も可能であり、低コストで製造することができる。保水材１６を流下した培養液Ｌは、貯液タンク３８内に回収される。所定時間培養液を供給した後、ポンプ４２を停止させて培養液の供給を停止させる。このようにタイマー装置５０による時間制御で培養液の供給、停止を繰返しながら植物を栽培する。図６に示すように、植物が生長して花が咲くと、縦に立てられた板面が花や植物（緑）に覆われて優れた意匠感のインテリアとなる。植物が枯れた際には、挿入孔１４から植物を簡単に引き抜き、必要に応じて清掃や部材等の交換を行い、繰り返し使用して、新しい植物を栽培して装飾緑化することができる。
【００３２】
なお、装飾緑化装置１０は、上記実施形態の構成に限らない。例えば、図７、図８に示すように、２枚のパネル体１２ａ、１２ｂの両方に複数の挿入孔１４を設けても良い。これにより、パネル体等を組み付けて構成された板状の植物保持部２２の両面を植物で装飾することができ、優れた意匠を形成することができる。この場合、パネル体１２ａ、１２ｂの支持構成は、例えば、貯液タンク３８に支持手段６０を介して下端を挟持するようにして支持されており、装置が自立状に立設される。なお、図７、図８上では、２枚のパネル体１２ａ、１２ｂの略同じ位置に挿入孔１４が設けられているが、２枚のパネル体でそれぞれの異なる位置に挿入孔１４を設けても良い。また、パネル体１２の横幅を広く設ければ、装飾緑化装置１０を部屋の簡易間仕切りとしても利用できる。
【００３３】
また、図９に示すように、パネル体１２（１２ａ、１２ｂ）は、例えば、横広く形成してもよく、広い壁面を同時に装飾緑化することができる。装飾緑化装置の厚みを薄く形成できるので、幅広く形成しても壁面等に沿って配置すれば場所をほとんど取らず、省スペースで広い面を有効に装飾できる。また、図１０に示すように、パネル体１２（１２ａ、１２ｂ）、保水材１６を組み付けて構成された植物保持部２２を複数個並列に並べて構成してもよく、より多数の植物を同時に設置して栽培及び装飾することができる。この際、１つの貯液タンク３８を共通させてもよい。また、図１１に示すように、例えば、貯液タンク３８及びポンプ４２をパネル体１２から離れた位置に設置してもよい。例えば、パネル体１２の下端側に厚みの薄い集水部６４を形成しておき、パネル体下端の集水部６４と貯液タンク３８とを、及び通液管４０とポンプ４２とを、それらを長い可撓性の連結チューブ６２を介して接続する。これにより、パネル体１２と貯液タンク３８とを別々の場所に設置できるので、装飾緑化装置の配置構成の自由度が高く、貯液タンクやポンプを邪魔になりにくい場所に設置すれば、省スペース化を図れるとともに意匠感を向上させることができる。
【００３４】
また、装飾緑化装置１０は、植物Ｐを保持させたパネル体１２をＬＥＤ（発光ダイオード）電球により明るく照らすようにすると意匠感を向上できる。例えば、ＬＥＤ電球と照度センサと組み合わせて、夜間暗くなった際に、ＬＥＤ電球で装飾緑化装置１０をライトダウンまたはライトアップして照らすようにするとよい。ＬＥＤ電球は、装飾緑化装置のパネル体や貯液タンク等に一体的に取り付けても良いし、装飾緑化装置とは別途に設置してもよい。
【００３５】
以上説明した本考案の装飾緑化装置は、上記した実施形態のみの構成に限定されるものではなく、実用新案登録請求の範囲に記載した本考案の本質を逸脱しない範囲において、任意の改変を行ってもよい。
【産業上の利用可能性】
【００３６】
本考案の装飾緑化装置は、例えば、草花類や観葉植物等の観賞用植物、野菜やハーブ等の食用植物等の栽培において、屋内又は屋外で複数の植物を利用して装飾するのに好適に用いられる。
【符号の説明】
【００３７】
１０    植物栽培装置
１２    パネル体
１４    挿入孔
１６    保水材
１８    培養液供給手段
２０    組み付け構造
２４    接続部
２６    弾性挟持部
３６    貫通孔
５２    水漏れ防止構造
５４    リング状部材
Ｐ    植物
Ｒ    植物の根
【図１】
0003161178.tif 000003
【図２】
0003161178.tif 000004
【図３】
0003161178.tif 000005
【図４】
0003161178.tif 000006
【図５】
0003161178.tif 000007
【図６】
0003161178.tif 000008
【図７】
0003161178.tif 000009
【図８】
0003161178.tif 000010
【図９】
0003161178.tif 000011
【図１０】
0003161178.tif 000012
【図１１】
0003161178.tif 000013
【図１２】
0003161178.tif 000014
【図１３】
0003161178.tif 000015